(57)【要約】【課題】本願発明は屋内外の空間部に用いる天井用ネットを、確実に、且つスムーズに取り付けできる屋内外の空間部に用いる天井用ネット、及び屋内外の空間部に用いる天井用ネットの取り付け方法を提供することを課題とする。【解決手段】屋内空間部の天井面の形状に応じて、又は屋外空間部の支柱上端側の水平方向に沿って形成される天井面の形状に応じて、形成されたネット本体と、屋内空間部の梁、又は屋外空間部の支柱の上端側に延出して形成された取付部に前記ネット本体を取り付けるネット連結具とから構成された屋内外の空間部に用いる天井用ネットにおいて、前記ネット本体には、前記ネット連結具に取り付けるための取付用ロープが、又は前記ネット連結具を取り付けた取付用ロープが、所望の撓みを有して予め一体的に取り付けている。【選択図】図１
2018079286.tif 000002
【特許請求の範囲】
【請求項１】
屋内空間部の天井面の形状に応じて、又は屋外空間部の支柱上端側の水平方向に沿って形成される天井面の形状に応じて、１枚又は複数枚で形成されたネット本体と、屋内空間部の天井面の梁等に、又は屋外空間部の支柱の上端側で延出して形成された取付部に、前記ネット本体を取り付けるためのネット連結具とから構成された屋内外の空間部に用いる天井用ネットにおいて、前記ネット本体には、前記ネット連結具に取り付けるための取付用ロープが、又はネット連結具を取り付けた取付用ロープが、所望の撓みを有して予め一体的に取り付けられていることを特徴とする屋内外の空間部に用いる天井用ネット。
【請求項２】
屋内空間部の天井面の形状に応じて、又は屋外空間部の支柱上端側の水平方向に形成される天井面の形状に応じて１枚又は複数枚でネット本体を形成した後、屋内空間部の天井面を形成する梁等、又は屋外空間部の支柱に延出して形成された取付部にネット連結具を取り付けるとともに、該ネット連結具を介して前記ネット本体を天井面に広げた状態で取り付ける屋内外の空間部に用いる天井用ネットの取り付け方法において、前記ネット本体に予め取付用ロープを所望の撓みを有して一体的に取り付けた後、前記梁、前記取付部に取り付けたネット連結具に前記取付用ロープを連結するとともに、又は前記ネット連結具を取付用ロープに取り付け、該取付用ロープにネット本体を一体的に取り付けた後、前記梁、前記取付部にネット連結具を取り付けるとともに、該取付用ロープの撓みを利用して取付位置の微調整を行うことで、天井面に沿ってネット本体を取り付けることを特徴とする屋内外の空間部に用いる天井用ネットの取り付け方法。
【発明の詳細な説明】
【技術分野】
【０００１】本願発明は、屋内空間部の天井面に沿って、又は屋外空間部の支柱上端側で水平方向に形成される天井面に沿って、形成された屋内外の空間部に用いる天井用ネット、及び該屋内外の空間部に用いる天井用ネットの天井面への取り付け方法に関する。
【背景技術】
【０００２】従来、屋内空間部に取り付けられる天井用ネットは、屋内空間部の天井面の大小に応じて単数又は複数を組み合わせて形成されたネット本体と、天井面を形成する複数本の梁等（梁、柱、及び天井面側の側壁）と該ネット本体とを連結して天井面にネットを取り付けるネット連結具とから構成されている。【０００３】前記天井用ネットは、高所用の特殊車両を用いてネット本体を天井側に移動した後、天井を形成する各梁を利用し、該梁に予め取り付けたネット連結具を介してネット本体を直接梁部分に取り付けることで天井面に沿って広げた状態で天井用ネットを取り付ける。【０００４】この際、天井面の面積が大きい場合は、梁に沿って別体の複数本の連結用ロープを直接天井面に取り付け、該連結用ロープに沿ってネット本体を取り付けることで天井面に沿って複数枚で形成された天井用ネットを取り付ける。【０００５】また、屋外の空間部に取り付けられる天井用ネットは、天井面を形成する部分に該当する複数本の支柱の上端側に沿ってそれぞれ所望の長さ、及び角度で空間部側に延出したそれぞれの水平板（又は支柱上端側の取付部）に、該隣合う水平板間の形状に形成されたネット本体を、前記水平板に連結したネット連結具を介して直接取り付けることで天井部分を形成する天井用ネットを支柱の上端側に取り付ける。【０００６】また、前記ネット本体とネット連結具との連結は、該ネット本体の周辺端部に取り付けられ、ネット本体の形状を形成するための補強用ロープを利用して連結するために、水平板間毎にネット本体を形成して連結する。
【発明が解決しようとする課題】
【０００７】しかしながら、上記従来の屋内の空間部に用いる天井用ネットは、天井面を形成する梁を利用してネット本体を直接取り付けているために、ネット本体の連結位置が梁の部分のみに固定され、梁のない部分に関してはネット本体の取り付け位置が自在に設定できない。このため平面状の天井面に対してはネット本体を広げた状態で適切に取り付けできるが、円弧状の天井面、又は傾斜角度の大きな天井面に対してはネット本体の荷重等により下方側に大きく弛みが発生し、適切なネットの取り付けができない欠点があった。
【０００８】また、連結用ロープを利用してネット本体を取り付ける場合は、梁を利用して先ず梁に沿って連結用ロープを取り付けるために、連結用ロープの取り付け工程、及び該連結用ロープにネット本体を連結する工程の必要があり、その工程が煩雑であるという欠点があった。
【０００９】また、屋外の天井用ネットは、ネット本体を水平板に沿って取り付けるが、水平板（又は取付部）に取り付けたネット連結具とネット本体の補強用ロープ部分のみの連結であるために、風等の影響によりネット部分が水平板とネット連結具とにより摩耗等が激しく、頻繁なメンテナンス作業を必要とする欠点があった。
【００１０】また、従来の天井用ネットは、ネット本体の天井側への移動作業はネット本体の重量がありその持ち上げ作業が煩雑であり、且つ作業の安全性の面で大きな問題点があった。
【００１１】さらに、ネット本体を直接梁等に取り付けるために、常に天井面に緊張状態で取り付けられ、ネット本体の自重が適切に分散されず各取り付け部分で摩耗等が相違することとなり、頻繁な点検作業を必要とする。
【００１２】そこで、本発明は天井用ネットの構成が簡易であり、屋内、又は屋外のあらゆる形状の天井面に対応して取り付けができ、且つ天井用ネットの取り付け作業における工程の安全性が極めて高く、その取り付け工程が容易である、屋内外の空間部に用いる天井用ネット、及び該屋内外の空間部に用いる天井用ネットの取り付け方法を提供することを目的とする。
【課題を解決するための手段】
【００１３】上記課題を解決する手段としての防球用ネットは、請求項１に記載のように、屋内空間部の天井面の形状に応じて、又は屋外空間部の支柱上端側の水平方向に沿って形成される天井面の形状に応じて、１枚又は複数枚で形成されたネット本体と、屋内空間部の天井面の梁等、又は屋外空間部の支柱の上端側で延出して形成された前記ネット本体を取り付けるネット連結具とから構成された屋内外の空間部に用いる天井用ネットにおいて、前記ネット本体には、前記ネット連結具に取り付けるための取付用ロープが、又はネット連結具を取り付けた取付用ロープが、所望の撓みを有して予め一体的に取り付けられていることを特徴とする。
【００１４】また、上記課題を解決する手段としての防球用ネットを空間部への取り付け方法は、請求項２に記載のように、屋内空間部の天井面の形状に応じて、又は屋外空間部の支柱上端側の水平方向に形成される天井面の形状に応じて、１枚又は複数枚でネット本体を形成した後、屋内天井面を形成する梁等、又は屋外空間部の支柱に延出して形成された取付部にネット連結具を取り付けるとともに、該ネット連結具を介して前記ネット本体を天井面に広げた状態で取り付ける屋内外の空間部に用いる天井用ネットの取り付け方法において、前記ネット本体に予め取付用ロープを所望の撓みを有して一体的に取り付けた後、前記梁、前記取付部に取り付けたネット連結具に前記取付用ロープを連結するとともに、又は前記ネット連結具を取付用ロープに取り付け、前記取付用ロープに前記ネット本体を一体的に取り付けた後、前記梁、前記取付部にネット連結具を取り付けるとともに、該取付用ロープの撓みを利用して取付位置の微調整を行うことで、天井面に沿ってネット本体を取り付けることを特徴とする。
【発明の作用効果】
【００１５】次に、本願発明の請求項１及び請求項２に記載の屋内外の空間部に用いる天井用のネット、及び屋内外の空間部に用いる天井用ネットの取り付け方法の作用効果を説明する。
【００１６】先ず、請求項１に記載の屋内外の空間部に用いる天井用ネットは、屋内空間部の設置する天井面の形状に応じて、又は屋外空間部の支柱上端側の水平方向に沿って形成される天井面の形状に応じて、１枚又は複数枚を組み合わせたネット本体と、該ネット本体に所望の長さ方向の撓みを有して取り付けられた取付用ロープと、該取付用ロープと天井面の梁等、又は支柱上端側の取付部に取り付けられるネット連結具とから構成されている。
【００１７】前記ネット本体への取付用ロープの取り付けは、空間部の大きさに応じて予め取付用ロープのネット本体への取り付け方向、及び本数を決定し、ネット本体の両端側を利用してネット本体と一体的に縫い込まれた状態で取り付ける。
【００１８】この際、前記取付用ロープはネット本体に撓みを有して取り付けられているために、ネット本体を緊張した状態で取り付けることなく、余裕を持って取り付けできネット本体の摩耗の減少、ネット本体の中央部分に係る自重による垂下量の調整を図ることができ、防球用、防護用としての効果を格段に向上することができる。
【００１９】しかも、前記取付用ロープの撓みを利用し、ネット連結具への取り付け位置の微調整が可能で、ネット本体への負荷のかかりにくい取り付けができる。
【００２０】また、前記ネット連結具は、ネットに直接取り付けるのでなく前記取付用ロープを介して取り付けるために、取り付け部分を強固に天井面に取り付けできるとともに、ネット本体の取り付け部分での摩耗等を格段に減少することができる。
【００２１】また、取付用ロープとネット連結具とを一体的に取り付けることで、天井面の梁部分、又は支柱上端側に予め弛んだ状態で取付用ロープを取り付け、該取付用ロープに沿ってネット本体をネット連結具を介して取り付けることで、天井面の形状に応じて自在にネット本体を取り付けできる。
【００２２】このように、本願発明の屋内外の空間部に用いる天井用ネットは、その構成が簡易であり、確実に天井用ネットを形成することができる。
【００２３】また、天井用ネットは、取付用ロープを梁、又は水平板に対応して取り付けできるので、ネット本体の取り付け位置が自在に設定でき、適切な取り付けが可能である。
【００２４】さらに、ネット本体とネット連結具との取り付けが確実に行え、しかも複数個所で固定できるので、その取り付け部分を安定して取り付けできる。
【００２５】次に、請求項２に記載の屋内外の空間部に用いる天井用ネットの取り付け方法は、先ず、屋内空間部の天井面の形状に応じて、又は屋外空間部の支柱上端側の水平方向に形成される天井面の形状に応じて、１枚又は複数枚でネット本体を形成した後、該ネット本体に天井面に応じて取付用ロープを所望の長さ方向（複数本を一方向のみ、又は交差する複数方向）で撓みを有して一体的に取り付けた後、天井面の梁、又は支柱の上端側の取付部にネット連結具を介して前記取付用ロープを連結する、又は前記ネット連結具を取付用ロープに取り付け、該取付用ロープにネット本体を一体的に取り付けた後、ネット連結具を天井面の梁、又は支柱の上端側の取付部に取り付けることで、天井面に沿ってネット本体を取り付ける。
【００２６】この際、前記取付用ロープは撓みを有してネット本体に一体的に取り付けられているために、ネット連結具との取り付け位置の微調整を行うことが容易に行え、ネット本体への負荷を削減することができる。
【００２７】また、前記取付用ロープのネット本体への取り付け位置を調整することで、該取付用ロープを利用して梁と梁の間、又は支柱間でもネット本体を引っ張って吊り張りできるために、安定したネット本体の取り付けが可能となり、円弧状等の面に対しても自在に対応することができる。
【００２８】また、ネット本体に設けられた取付用ロープとネット連結具とを取り付けるために、その取り付け工程が容易であり、スムーズなネット本体の取り付けが行えるとともに、強固に取り付けでき安定した状態でネット本体を取り付けできる。
【００２９】ネット連結具とネット本体とは、上記に限定されるものでなく、ネット連結具と取付用ロープとを一体的に取り付けることで、梁等、又は支柱の取付部にネット連結具を介して取付用ロープを取り付けた後、該取付用ロープにネット連結具を介してネット本体を取り付けることで、天井面の形状に応じてネット本体を取り付ける工程も可能である。
【００３０】このように、本願発明の屋内外の空間部に用いる天井用ネットの取り付け方法は、ネット本体の取り付け工程がスムーズに行え、且つ作業工程が容易である。
【００３１】また、取付用ロープを介してネット本体を取り付けるために、その取り付け作業工程が安全に行える。
【００３２】さらに、取付用ロープの撓みを利用してネット本体を取り付けるために、ネット本体にかかる荷重等に自在に対応することができる。
【発明を実施するための最良の形態】
【００３３】本願発明の屋内外の空間部に用いる天井用ネット、及び屋内外の空間部に用いる天井用ネットの取り付け方法の一実施例について図面を用いて説明する。【００３４】図１は本願発明の屋内外の空間部に用いる天井用ネットの一実施例を示す概略説明平面図であり、図２は図１の天井用ネットを屋内空間部の天井面に取り付けられた状態を示す概略説明側面図であり、図３は本願発明の屋内空間部に用いる天井用ネットの他実施例を示す概略説明平面図であり、図４は図３の天井用ネットを屋内の天井面に取り付けられた状態を示す概略説明平面図であり、図５は屋内の空間部の円弧状の天井面を示す概略説明側面図であり、図６、図７は本願発明の屋内の空間部に用いる天井用ネットの他実施例を示す概略説明平面であり、図８は本願発明の屋外空間部に用いる天井用ネットを屋外の空間部に取り付けられた状態を示す概略説明側面図であり、図９は図８の屋外空間部に取り付けられたネットを示す概略説明平面図であり、図１０は本願発明の屋外空間部に用いる天井用ネットの他実施例を示す概略説明平面図であり、図１１、図１２は本願発明の屋内外の空間部に用いる天井用ネットの取り付け方法を示すフローチャートである。
【第１実施例】
【００３５】本願発明の屋内空間部に用いる天井用ネット１は、空間部の天井面の形状に対応して形成された１枚又は複数枚を組み合わせ形成されたネット本体２と、前記天井面を形成する梁Ａの所望の位置に取り付けるための複数個のネット連結具３とから構成されている。
【００３６】前記ネット本体２は、その各端部側の周辺に沿ってそれぞれネットの形状を維持するための補強用ロープ４が取り付けられ（ネット本体２の端部側を折り返してロープを包み込むことで取り付ける）、該補強用ロープ４の対向する一方向（上下方向、又は左右方向）に沿って複数本（実施例では５本）の取付用ロープ５が一定間隔、又は所望の間隔で一体的に取り付けられている。
【００３７】前記取付用ロープ５の取り付けは、その両端側のみ前記補強用ロープ４に連結し、且つネット本体２の網目に沿って縫い込むことで一体的に取り付けるとともに、その長さ方向に所望の撓み（ネット本体２の取り付け方向の長さより取付用ロープ５の長さを余裕を持った長さ）を有して取り付ける。
【００３８】前記取付用ロープ５の撓みを利用してネット本体２を強く緊張した状態で天井面に取り付けることなく、弛んだ状態で天井面に沿って取り付けでき、また、梁Ａへの取り付け位置の微調整を容易に行うことができるので、ネット本体２の摩耗等を抑え、頻繁なメンテナンス作業を必要としない。
【００３９】また、上記実施例では、取付用ロープ５を５本取り付けたが、本願発明において、取付用ロープ５の本数は特に限定されるものでなく、ネット本体２の面積、天井面の形状に応じて、例えば面積が大きくなると取付用ロープ５の本数を増加し、また天井面の形状が円弧状である場合は、円弧状に沿って取付用ロープ５を取り付ける必要があり、本数を増加する等、自在に本数を調整することができる。
【００４０】さらに、取付用ロープ５の撓みを形成する長さも同様にネット本体２の面積、天井面の形状に応じて、最適な長さを選択することができる。
【００４１】また、上記実施例では、一方向に沿って取付用ロープ５を取り付けたが、本願発明において、取付用ロープ５の取り付け方向はこれに限定されるものでなく、交差する方向にも取付用ロープ５を取り付けることで、天井面の隣り合う梁Ａ間に取付用ロープ５が位置するように取り付けでき、ネット本体２の取り付け強度をさらにあげるとともに、前記取付用ロープ５の交差する十字部分とネット連結具３とを連結して取り付けることで、取付用ロープ５とネット連結具３との取り付け部分の強度を強化することができる。
【００４２】しかも、前記のようにネット本体２の取り付け強度を向上することで、天井用ネット１のメンテナンス作業回数を従来の天井用ネットに比し格段に減少することも可能である。
【００４３】また、１本の取付用ロープ５の両端側をそれぞれ対向する補強用ロープ４に連結し、ネット本体２面に沿って蛇行した状態で縫い込むことで、ネット本体２の全面を利用して梁Ａ部分への取り付けができ、しかもネット連結具３部分で微調整を行って適切に引っ張った状態でのネット本体２の取り付けができ、さらにネット本体２の荷重等による弛みを利用し、ネット本体２部分を下方側に均等に弛んだ状態で取り付けることも可能である。
【００４４】また、前記蛇行した状態での取付用ロープ５の取り付けは、梁Ａとの連結部分での取り付け位置の前記撓みを利用しての微調整が可能であり、ネット取付具３と取付用ロープ５との取り付け位置、及びネット本体２の荷重等による均等な弛みに対応することができる。
【００４５】しかも、取付用ロープ５とネット連結具３との取り付けが容易に行え、スムーズな天井用ネット１の取り付け作業が可能となる。
【００４６】また、ネット連結具３はネット本体２と梁Ａ部分を連結するものであり、上記実施例では、例えば梁Ａ部分に固定（公知の固定手段）するための固定部（図示せず）と、該固定部に取り付けられ取付用ロープ５に連結する連結環（図示せず）とから形成するが、本願発明において、ネット連結具３の構成はこれに限定されるものでなく、例えば、予め取付用ロープ５に連結環を所望の範囲内で移動自在に取り付け、該連結環に梁Ａへ固定する別体の固定部とから構成してもよい。要は、梁Ａ部分への固定部と、取付用ロープ５への連結部分を有すれば、その形状は問うものでない。
【００４７】また、前記ネット連結具３を、梁Ａ部分との間の上下方向で長さ調整可能に構成することで、天井面と天井用ネット１との距離を自在に調整でき、天井面の形状に応じて最適な（全体が水平面となるように、又は梁Ａの大きさによる段差を解消）取り付けが可能となる。
【００４８】また、上記実施例では天井用ネット１は、ネット本体２に取付用ロープ５が一体的に取り付けられた構成であるが、本願発明の天井用ネット１の構成は、これに限定されるものでなく、ネット本体２とネット連結具３の設けられた取付用ロープ５が一体的に取り付けられた構成でもよい。
【００４９】上記構成により、ネット連結具３を梁Ａに取り付けることで、取付用ロープ５を介して直接ネット本体２を取り付けできる。
【００５０】また、ネット連結具３を梁Ａに取り付けながらネット本体２の取り付け位置を調整することができる。
【００５１】本願発明の屋内空間部に用いる天井用ネット１は上記のように形成され、次に、上記天井用ネット１を屋内空間部の天井面に取り付ける取り付け方法について説明する。
【００５２】先ず、屋内空間部の天井面の形状に応じてネット本体２を、１枚又は複数枚のネットを組み合わせるとともに、それぞれの端部側に沿って補強用ロープ４を取り付けることで形成した後、該ネット本体２の一方向の両端側に取り付けられた補強用ロープ４を介してそれぞれ複数本の取付用ロープ５の両端側を所望の間隔で取り付ける。
【００５３】この際、ネット本体２の大きさに応じて取付用ロープ５の径を選択し、ネット本体２全体の重量の軽減を図る（ネット本体２の面積が小さい場合は、小径で軽い取付用ロープ５を、選択し、ネット本体２の面積が大きい場合は、ネット本体２の重量を支えるために所望の径を有する取付用ロープ５を選択する）とともに、前記取付用ロープ５をネット本体２の網目に沿って縫い込むように取り付けることで、ネット本体２の長さ方向における撓みを有して一体的に構成する。
【００５４】次に、空間部の天井面を形成する梁Ａの所望の位置にネット連結具３をそれぞれ取り付けた後、前記ネット本体２に取り付けられ、且つ対応する梁Ａに応じて設けられた取付用ロープ５を前記ネット連結具３にそれぞれ連結することで、該取付用ロープ５の取り付けられたネット本体２を間接的に梁Ａに沿って取り付けることができる。
【００５５】このため、ネット本体２を直接梁Ａに取り付けることがないので、ネット本体２の梁Ａへの取り付け部分の摩耗等がなく、従来のような頻繁なメンテナンス作業を必要としないという顕著な効果を有する。
【００５６】また、前記取付用ロープ５は撓みを有してネット本体２に一体的に取り付けられているために、取付用ロープ５と梁Ａとの取り付け位置の調整を、該取付用ロープ５の移動で容易に微調整することができ、ネット本体２の荷重に対応（均等化、ネット本体２の撓み等）した適切な位置への取り付けを行うことができる。
【００５７】尚、天井面の形状が円弧状に形成されている場合は、例えば取付用ロープ５をネット本体２に交差して複数本縫い込んで取り付け、天頂部を中心にネット連結具３を梁Ａに取り付け、該ネット連結具３を介して前記取付用ロープ５を梁Ａに沿って、及び隣合う梁Ａ―Ａ間に渡って取り付けることで、ネット本体２を円弧状の天井面に沿って均等に取り付けできる。
【００５８】この際、前記取付用ロープ５は、それぞれネット本体２に撓みを有して取り付けられているために、円弧状の天井面に沿って僅かに撓みが発生し、ネット本体２を緩やかに円弧状に取り付けることができる。
【００５９】また、梁Ａに沿った取付用ロープ５と隣合う梁Ａ―Ａ間の取付用ロープ５とにより、ネット本体２を交差した状態で取り付けているために、前記ネット本体２を複数個の区画された区画部体の集合体として形成でき、天井面における防球効果、天井側よりの落下防止効果を格段に向上することができる。
【００６０】さらに、取付用ロープ５を利用してのネット本体２の天井面への取り付けであるために、円弧状の天井面への取り付け作業の効率を従来の取り付け作業に比し格段に向上することができる。
【００６１】また、平面状の天井面の場合は、通常の屋内の空間部であれば、該天井面を形成する梁Ａ部分のみを利用してネット連結具３を取り付け、該ネット連結具３を介して取付用ロープ５に取り付けることで、ネット本体２を天井面に沿って平面状に取り付けることができる。
【００６２】この場合も円弧状の天井面と同様に前記取付用ロープ５の撓みを利用して取付位置を微調整することができ、且つ取付用ロープ５の撓みを利用して、取付用ロープ５を下方側に緩やかに取り付け、ネット本体２に余裕を残して均等に天井面に沿って取り付けることができる。
【００６３】上記ネット本体２の天井側への移動に関する第一実施例は、ネット本体２に移動用ロープ（図示せず）を取り付け、該移動用ロープを天井面に取り付けられた滑車を介して移動することで、移動用ロープでネット本体２を天井側に移動し、ネット連結具３で梁Ａ部分と取付用ロープ５とを取り付けることで、ネット本体２を天井面に取り付けた後、移動用ロープを側面に固定する。
【００６４】そして、ネット本体２を移動用ロープで天井側に移動することで、天井側での作業をネット連結具３と取付用ロープ５との取り付けのみであり、作業工程が容易であり、スムーズに行うことができる。
【００６５】このように、本願発明の屋内外の空間部に用いる天井用ネット１は、取付用ロープ５を用いて天井面に沿って取り付けられているために、安定した状態で確実に取り付けることができる。
【００６６】また、従来のように天井側の高所でネット本体２の移動、及びネット本体２の梁Ａへのとの取り付け等の全ての作業を行うことなく、天井用ネット１の梁Ａへの取り付け作業のみに限定でき、作業時間の短縮、及び作業の安全性の面で大きな利点がある。
【００６７】また、メンテナンス作業においても、前記ウインチで移動用ロープを移動することで、天井面より床面側に移動することで、床面側でネット本体２のメンテナンス作業を行うことができ、安全に作業できるとともに、作業効率が従来に比し格段に向上することができる。
【第２実施例】
【００６８】次に、他の実施例として、屋外空間部に用いる天井用ネット１について説明する。
【００６９】天井用ネット１の基本構成は、上記実施例１と同様にネット本体２と、該ネット本体２に一体的に縫い込んで取り付けられた取付用ロープ５と、該取付用ロープ５を支柱Ｂに連結するためのネット連結具３とから構成されている。
【００７０】屋外の空間部の天井面は、該空間部の外周縁に沿って立設する複数本の支柱Ｂのうち、所望の範囲内（天井用ネット１を必要とする部分、例えば、野球におけるバックネットを形成する部分）の数本の支柱Ｂの上端側に延出して取り付けられた水平板Ｃで形成される。
【００７１】前記水平板Ｃの先端側より後端側に沿って水平方向に取り付ける天井用ネット１は、支柱Ｂ間及び各水平板Ｃにより形成される天井面の形状に応じて１枚又は複数枚で形成されたネット本体２と、該ネット本体２の水平板Ｃ―Ｃ方向に所望の長さ方向で撓みを有して一体的に取り付けられた取付用ロープ５と、前記水平板Ｃと前記取付用ロープ５とを取り付けるためのネット連結具３とから構成されている。
【００７２】前記取付用ロープ５は、基本構成は水平板Ｃ方向に沿って縫い込むことで一体的に取り付けるが、ネット本体２の形状（面積の大小等）に応じて他に隣合う水平板Ｃ―Ｃ間に横たわるように取り付けることで、水平板Ｃ―Ｃ間の強度をさらに強化することもできる。
【００７３】これにより、屋外の空間部における特有の問題点である風に対しての十分に対応することができる。
【００７４】また、取付用ロープ５はネット本体２に撓みを有して取り付けられているために、取付用ロープ５を僅かに移動するだけで、水平板Ｃとの取り付け位置の微調整を行うことができ、適切なネット本体２の取り付けが行える。
【００７５】さらに、取付用ロープ５の撓みを利用して、ネット本体２が風の影響を受けた場合でも、ネット本体２は間接的に水平板Ｃに取り付けられているために、前記ネット本体２の取付部分の摩耗等を従来に比し格段に減少することができる。
【００７６】前記ネット本体２は、各支柱Ｂに取り付けらえた水平板Ｃに沿って支柱Ｂの上端側より天井面を形成し、球技における球の上方側よりの飛び出しを防止する。
【００７７】尚、上記実施例では、複数本の取付用ロープ５をネット本体２に取り付けたが、取付用ロープ５の取り付けはこれに限定されるものでなく、１本の取付用ロープ５の両端側をそれぞれ補強用ロープ４に連結し、蛇行した状態でネット本体２に縫い込むことで弛んだ状態でネット本体２に取り付けることも可能である。
【００７８】これにより、取付用ロープ５を介してネット連結具３に取り付けることで、ネット本体２を所望の間隔で下方側に膨らんだ状態で均等に取り付けできる。
【００７９】このように、本願発明の屋外の空間部に用いる天井用ネット１は、支柱Ｂの上端側に取り付けられた水平板Ｃに適切な状態でネット本体２が取り付けられ、且つネット本体２の取り付け作業が容易にでき、従来のような頻繁なメンテナンス作業を必要としない。
【００８０】尚、上記実施例では、支柱Ｂの上端側に水平板Ｃを取り付けて天井面を形成したが、屋外空間部の天井面の形成はこれに限定されるものでなく、水平板Ｃを利用することなく支柱Ｂで形成されるコーナー部分を利用して天井面を形成することも可能である。
【００８１】この場合、取付用ロープ５をネット本体２の補強用ロープ４部分に重なるように取り付け、コーナー部分を形成する支柱Ｃの間に該取付用ロープ５を取り付けることで、容易に天井用のネット１を構成することができる。
【図面の簡単な説明】
【００８２】
【図１】本願発明の屋内空間部に用いる天井用ネットを示す概略説明平面図
【図２】図１の天井用ネットの取り付け状態を示す概略説明側面図
【図３】本願発明の屋内空間部に用いる天井用ネットの他実施例を示す概略説明平面図
【図４】図３の天井用ネットの取り付け状態を示す概略説明平面図
【図５】円弧状の天井面への天井用ネットを示す概略説明側面図
【図６】本願発明の屋内空間部に用いる天井用ネットの他実施例を示す概略説明平面図
【図７】本願発明の屋内空間部に用いる天井用ネットの他実施例を示す概略説明平面図
【図８】本願発明の屋外空間部に用いる天井用ネットを示す概略説明側面図
【図９】図８の天井用ネットを示す概略説明平面図
【図１０】本願発明の屋外空間部に用いる天井用ネットの他実施例を示す概略説明平面図
【図１１】本願発明の屋内外の空間部に用いる天井用ネットの取り付け方法を示すフローチャート
【図１２】本願発明の屋内該の空間部に用いる天井用ネットの取り付け方法を示すフローチャート
【符号の説明】
【００８３】１−天井用ネット、２−ネット本体、３−ネット連結具、５−取付用ロープ
【図１】
2018079286.tif 000003
【図２】
2018079286.tif 000004
【図３】
2018079286.tif 000005
【図４】
2018079286.tif 000006
【図５】
2018079286.tif 000007
【図６】
2018079286.tif 000008
【図７】
2018079286.tif 000009
【図８】
2018079286.tif 000010
【図９】
2018079286.tif 000011
【図１０】
2018079286.tif 000012
【図１１】
2018079286.tif 000013
【図１２】
2018079286.tif 000014